(57)【要約】【課題】設計段階で定めたアンテナコイルの位置と、実際に製造時に配置したアンテナコイルの位置とが多少ずれてしまってもアンテナ性能を損なうことがない技術の提供を課題とする。【解決手段】ＩＣカード１０は、アンテナシート２０と、ＩＣチップ３０と、カード基材部４０とを備える。アンテナシート２０は、フィルム基材２１と、フィルム基材２１の表裏面に形成された平行四辺形状のアンテナコイル２２Ｆ，２２Ｂとを備える。表面側の上辺２２Ｆ−Ｕと裏面側の上辺２２Ｂ−Ｕ、及び、表面側の下辺２２Ｆ−Ｄと裏面側の下辺２２Ｂ−Ｄは、表面側から見て交差する位置に配置されている。このように、表裏面のアンテナコイルを予め交差する位置に配置させておくことで、設計時に定めた配置位置から多少ずれてアンテナコイルを形成しても、重複面積が大きく変化することがなく、共振周波数の変動を最小限に抑えることができる。【選択図】図１
2011254307.tif 000002
【特許請求の範囲】
【請求項１】
ベースシートと、
前記ベースシートの表裏面に形成された四辺形状のアンテナコイルとを備え、
前記アンテナコイルは、表裏合わせて８つの辺のうち、表面側から見たときの方向を基準として、表面側の上辺と裏面側の上辺、表面側の左辺と裏面側の左辺、表面側の下辺と裏面側の下辺、表面側の右辺と裏面側の右辺をそれぞれ１つの組とみなしたときに、少なくとも１つの組の表面側の辺と裏面側の辺とが、表面側から見て交差する位置に配置されていることを特徴とするアンテナシート。
【請求項２】
ベースシートと、
前記ベースシートの表裏面に形成された四辺形状のアンテナコイルとを備え、
前記表面側のアンテナコイルと前記裏面側のアンテナコイルとは、少なくとも一部が厚み方向で重なる位置に配置されており、
前記裏面側のアンテナコイルは、前記表面側のアンテナコイルの所定の部分を基準として、回転させた位置に配置されていることを特徴とするアンテナシート。
【請求項３】
請求項１又は２に記載のアンテナシートにおいて、
前記アンテナコイルは、
前記四辺形状の少なくとも１つの内角が鋭角であることを特徴とするアンテナシート。
【請求項４】
請求項１から３までのいずれかに記載のアンテナシートにおいて、
前記表面側のアンテナコイルと前記裏面側のアンテナコイルとは、
表面側から見たときに、両者の中心線を基準として、左右対称の形状であることを特徴とするアンテナシート。
【請求項５】
請求項１から４までのいずれかに記載のアンテナシートにおいて、
前記アンテナコイルは、
その形状が平行四辺形形状であることを特徴とするアンテナシート。
【請求項６】
請求項１から５までのいずれかに記載のアンテナシートと、
前記アンテナシートのアンテナコイルに接続されたＩＣチップと
を備える情報記録媒体。
【発明の詳細な説明】
【技術分野】
【０００１】
本発明は、ベースシートの表裏面に形成されたアンテナコイルを備えるアンテナシート、及びそのアンテナシートを備える情報記録媒体に関する。
【背景技術】
【０００２】
従来、非接触ＩＣカード等に用いられるアンテナシートは、ベースシートの片面にスパイラル状のアンテナコイルが形成された形態を有している。一般にアンテナコイルは、その面積（いわゆる開口面積）が大きいほど、通信効率（感度）を高めることができるため、ベースシートの外周に沿った形状でアンテナパターンが形成されることが多い。その一方で、通常サイズ（例えばクレジットカードサイズ）のＩＣカードよりも小さいサイズのＩＣカードを活用する場面もあり、このような小さいサイズのＩＣカードにおいて、限られた面積内でより高いインダクタンスを得るには、高密度にアンテナコイルを形成する必要がある。
【０００３】
通常、より高いインダクタンスを得る方法としては、アンテナコイルを高密度にして巻き数を稼ぐ方法があるが、製造上の限界から片面に形成できるコイル巻き数には上限がある。そこで、ベースシートの表裏面に跨ってアンテナコイルを形成することにより、限られた面積内で巻き数を稼ぐ方法が考えられる。この方法であれば、ベースシートの片面側の領域のみを用いた場合に比べて、約２倍の面積を用いてコイルパターンを形成することができるため、結果として、アンテナコイルの巻き数を２倍程度にすることができる。アンテナは、コイルパターンの巻き数を増やした方が、当該コイルで得られる誘導起電力が大きくなるため、それだけアンテナの効率を高めることができる。
【０００４】
このように、片面にアンテナコイルが形成されたものより、両面にアンテナコイルが形成されたアンテナシートの方が、アンテナの効率の観点から見れば優れてはいるが、表裏面のアンテナパターンは、表裏面のアンテナパターンが重なる部分でコンデンサを形成する。このため、表裏面のアンテナパターンがずれた場合、この重なる部分の面積の増減でコンデンサの容量が変化し、それに伴って共振周波数が変動するという問題がある。
【０００５】
このような問題を解決するために、ＩＣカードに備えられた基板の表面側と裏面側との領域に一続きの導体をコイル状に形成する構成として、基板の表面側の領域に形成されたコイルのパターン（表面パターン）とずれた位置に、裏面側の領域におけるコイルのパターン（裏面パターン）を形成したカード状アンテナが知られている（例えば、特許文献１参照）。このカード状アンテナは、基板の表面側の領域におけるコイルパターンと裏面側の領域におけるコイルパターンとが重なって配置された場合に比べて、両コイルパターン間の距離が大きくなり、両コイルパターン間に生じるコンデンサのキャパシタンスが小さくなる。これにより、基板の表面側と裏面側とに形成された導体部分間に生じるコンデンサに起因してアンテナの共振周波数に与える影響を低減させることができる。
【先行技術文献】
【特許文献】
【０００６】
【特許文献１】特開平１１−１９５９２１号公報
【発明の概要】
【発明が解決しようとする課題】
【０００７】
しかし、特許文献１の技術をいざ採用しようとすると、基板の表面側の領域に形成されたコイルのパターン（表面パターン）と、基板の裏面側の領域に形成されたコイルのパターン（裏面パターン）とを、設計時に定めた正確な位置に配置しなければ、表面パターンと裏面パターンとをずらしたことによる効果が得られないという問題がある。
【０００８】
すなわち、実際にアンテナシートを製造する過程では、表面のパターンと裏面のパターンとを１つ１つ貼り合わせてアンテナパターンを形成するのではなく、大きな樹脂フィルムの両面に銅等の金属箔を積層した後、エッチング処理を施すことにより、数多くの回路パターン層を基材の両面に形成する。このようなアンテナパターンの形成過程において、表裏のアンテナパターンの位置を繰り返し正確に合わせる作業は、人為的でも機械的でも、技術的には困難であり誤差が生じる。
【０００９】
そこで本発明は、設計段階で定めたアンテナコイルの位置と、実際に製造時に配置したアンテナコイルの位置とが多少ずれた場合であっても、アンテナ性能を大きく変化させない技術を提供しようとするものである。
【課題を解決するための手段】
【００１０】
上記の課題を解決するため、本発明は、第１にアンテナシートを提供する。第２に本発明は、情報記録媒体を提供する。
【００１１】
［アンテナシート］
本発明のアンテナシートは、ベースシートと、ベースシートの表裏面に形成された四辺形状のアンテナコイルとを備え、アンテナコイルは、表裏合わせて８つの辺のうち、表面側から見たときの方向を基準として、表面側の上辺と裏面側の上辺、表面側の左辺と裏面側の左辺、表面側の下辺と裏面側の下辺、表面側の右辺と裏面側の右辺をそれぞれ１つの組とみなしたときに、少なくとも１つの組の表面側の辺と裏面側の辺とが、表面側から見て交差する位置に配置されていることを特徴とするものである。
【００１２】
本発明によれば、表裏面の上辺同士等を１つの組とみなし、少なくとも１つの組の表面側の辺と裏面側の辺とが、表面側から見て交差する位置に配置されている。例えば、表面側の上辺と裏面側の上辺とが表面側から見て交差する位置に配置されている場合には、両面の上辺に着目すると、両面の上辺が表裏面でぴったり重なっているわけではなく、両面の上辺が表裏面ですべて重なっていないわけでもなく、その一部だけが重なっていることになる。これにより、アンテナコイルをベースシートの表裏面に形成する際に、表面側と裏面側とで、設計時に定めた配置位置から多少ずれてアンテナコイルを形成しても、上辺同士が重なっている重複面積が大きく変化することがないため、共振周波数の変動が少なく、アンテナ性能を損なうことがない。
【００１３】
ここで、表面側の上辺、表面側の左辺、表面側の下辺、表面側の右辺は、この順に配置された表面側の第１の辺、表面側の第２の辺、表面側の第３の辺、表面側の第４の辺とすることもできる。これと同様に、裏面側の上辺、裏面側の左辺、裏面側の下辺、裏面側の右辺は、この順に配置された裏面側の第１の辺、裏面側の第２の辺、裏面側の第３の辺、裏面側の第４の辺とすることもできる。この場合、第１から第４までの番号の振り方は、まず、表面側の所定の辺を第１の辺として、その辺から一定の回転方向（例えば、反時計回り）で、順に番号を振るものとする。裏面側は、表面側の第１の辺と定めた辺の真裏（すぐ裏、まうしろ）に形成された裏面側の辺を裏面側の第１の辺として、上記回転方向と同一の回転方向（例えば、反時計回り）で、順に番号を振るものとする。
【００１４】
また本発明のアンテナシートは、ベースシートと、ベースシートの表裏面に形成された四辺形状のアンテナコイルとを備え、表面側のアンテナコイルと裏面側のアンテナコイルとは、少なくとも一部が厚み方向で重なる位置に配置されており、裏面側のアンテナコイルは、表面側のアンテナコイルの所定の部分を基準として、回転させた位置に配置されているものでもよい。
【００１５】
本発明によれば、表面側のアンテナコイルと裏面側のアンテナコイルとが少なくとも一部で重なる位置に配置されており、裏面側のアンテナコイルが表面側のアンテナコイルの所定の部分を基準として、回転させた位置に配置されているので、表面側のアンテナコイルのいずれかの辺と、裏面側のアンテナコイルのいずれかの辺とが、表面側から見て交差する位置に配置されるようになる。従って、上述した発明と同様に、表面側と裏面側とで、設計時に定めた配置位置から多少ずれてアンテナコイルを形成しても、重複面積が大きく変化することがないため、共振周波数の変動が少なく、アンテナ性能を損なうことがない。
一般に、表面側のアンテナコイルと裏面側のアンテナコイルとは、両者が平行に形成されるものである。例えば、表面側の上辺に配置されるアンテナコイルと裏面側の上辺に配置されるアンテナコイルとは、厚み方向で見て（表面側・正面側から見て）互いに重なる位置又は重ならないまでも略平行となる位置に配置される。また、左辺，下辺，右辺に配置されるアンテナコイルも、上辺のアンテナコイルと同様に、表面側と裏面側のアンテナコイルが、厚み方向で見て互いに重なる位置又は重ならないまでも略平行となる位置に配置されるものである。しかし、このような配置関係で表面側のアンテナコイルと裏面側のアンテナコイルとを配置しようとすると、表面側と裏面側とで、設計時に定めた配置位置から多少ずれてアンテナコイルを形成した場合に、表面側のアンテナコイルと裏面側のアンテナコイルとが重なっている重複面積が大きく変動してしまう。これに対して、本発明では、裏面側のアンテナコイルを回転させて配置させている。これは、表面側のアンテナコイルと裏面側のアンテナコイルとが上述したように平行となることを防止して、表面側のアンテナコイルと裏面側のアンテナコイルとを厚み方向にて交差させるためである。裏面側のアンテナコイルを回転させて配置することにより、例えば表面側の上辺に配置されるアンテナコイルと裏面側の上辺に配置されるアンテナコイルとは、互いに平行でない状態で配置されるようになり、表面側の上辺のアンテナコイルと裏面側の上辺のアンテナコイルとは、厚み方向で見て互いに交差する状態となる。また、左辺，下辺，右辺のアンテナコイルについても同様である。このように、表面側のアンテナコイルと裏面側のアンテナコイルとを予め交差させておくことで、表面側のアンテナコイルと裏面側のアンテナコイルとがずれた場合の面積変動を最小限に抑えることができる。
【００１６】
アンテナシートの構成として、アンテナコイルは、四辺形状の少なくとも１つの内角が鋭角であることが好ましい。
【００１７】
上記の態様であれば、アンテナコイルは、四辺形状の少なくとも１つの内角が鋭角であるので、アンテナコイルの形状が正方形形状や長方形形状を除いた四辺形状となり、その鋭角を挟み込んだ辺が一定の角度を持って傾斜するため、表裏面のアンテナコイルの各辺が表面側から見て互いに交差しやすい形状とすることができる。
【００１８】
アンテナシートの構成として、表面側のアンテナコイルと裏面側のアンテナコイルとは、表面側から見たときに、両者の中心線を基準として、左右対称の形状であることが好ましい。
【００１９】
上記の態様であれば、表面側のアンテナコイルと裏面側のアンテナコイルとは、左右対称の形状であるため、製造時には、同じようなコイルパターンを製造すればよく、製造しやすいアンテナシートを提供することができる。
【００２０】
アンテナシートの構成として、アンテナコイルは、その形状が平行四辺形形状であることが好ましい。
【００２１】
上記の態様であれば、アンテナコイルは、その形状が平行四辺形形状であるため、表面側のアンテナコイルと裏面側のアンテナコイルとの間で、平行な２辺が交差するようになり、１辺が交差する場合と比較して、アンテナパターンが表裏面でずれた場合の重複面積の変化をより小さくすることができ、周波数変動をより小さいものとすることができる。
【００２２】
［情報記録媒体］
また本発明の情報記録媒体は、上述したアンテナシートと、アンテナシートのアンテナコイルに接続されたＩＣチップとを備えるものである。
【００２３】
本発明によれば、上述したアンテナシートを備える情報記録媒体とすることで、上述したアンテナシートの効果を得つつ、多少の製造誤差が発生したとしても品質の安定した情報記録媒体を提供することができる。
【発明の効果】
【００２４】
本発明によれば、小型のＩＣカードやＩＣタグを設計するにあたり、アンテナコイルを小さい面積に集約し、製造上の誤差により表裏のパターンがずれた場合であっても、周波数変動が小さいアンテナの製造が可能となり、ＩＣカードやＩＣタグの品質も安定する。
【図面の簡単な説明】
【００２５】
【図１】本発明の第１実施形態に係るアンテナシート及びＩＣカードを示す図である。
【図２】第１実施形態のアンテナシート２０を拡大して示す図である。
【図３】第１実施形態のアンテナシート２０を拡大して示す図である。
【図４】比較例のアンテナシート２０Ａを示す図である。
【図５】比較例のアンテナシート２０Ａを示す図である。
【図６】本発明の第２実施形態に係るアンテナシート及びＩＣカードを示す図である。
【図７】第２実施形態のアンテナシート２０−２を拡大して示す図である。
【図８】第２実施形態のアンテナシート２０−２を拡大して示す図である。
【図９】本発明の第３実施形態に係るアンテナシート及びＩＣカードを示す図である。
【図１０】第３実施形態のアンテナシート２０−３を拡大して示す図である。
【図１１】第３実施形態のアンテナシート２０−３を拡大して示す図である。
【図１２】本発明の第４実施形態に係るアンテナシート及びＩＣカードを示す図である。
【図１３】第４実施形態のアンテナシート２０−４を拡大して示す図である。
【図１４】第４実施形態のアンテナシート２０−４を拡大して示す図である。
【図１５】本発明の変形形態に係るアンテナシートを示す図である。
【発明を実施するための形態】
【００２６】
以下、本発明のアンテナシート及び情報記録媒体の実施形態について説明する。
〔第１実施形態〕
図１は、本発明の第１実施形態に係るアンテナシート及びＩＣカードを示す図である。図１（Ａ）は、正面図であり、図１（Ｂ）は、Ｂ−Ｂ断面図である。なお、図１（Ａ）においては、説明の便宜上、アンテナコイル２２Ｆ−Ｕ等、スルーホール２３、ＩＣチップ３０を図示しているが、実際には目視できない。また、以下の図においては、表面側のアンテナコイル２２Ｆ等を実線で示し、裏面側のアンテナコイル２２Ｂ等を破線で示している。
【００２７】
ＩＣカード１０は、情報記録媒体の一例として挙げる非接触式のＩＣカードであり、その中央部は、所定の切れ込みやミシン目状の孔等の切り離し部１１によって、小型ＩＣカード１０ａとして取り外し可能になっている。ユーザは、ＩＣカード１０から小型ＩＣカード１０ａを取り外して利用することもできるし、小型ＩＣカード１０ａを取り外さずにＩＣカード形状のまま利用することもできる。
【００２８】
また、ＩＣカード１０は、アンテナシート２０、ＩＣチップ３０、及びカード基材部４０から構成されている。
【００２９】
上記のアンテナシート２０は、図１（Ｂ）に示すように、例えばポリエチレンテレフタレート（ＰＥＴ）等で形成されたフィルム基材（ベースシート）２１を有している。このフィルム基材２１の表裏面には、金属箔をエッチングすることにより平行四辺形形状のアンテナコイル２２Ｆ，２２Ｂが形成されている。なお、アンテナコイル２２Ｆ，２２Ｂは、エッチング工法以外にもワイヤーを引き回してアンテナコイルを形成する方法やアンテナコイル用の転写箔を転写させてアンテナコイルを形成する方法によっても形成することができる。
【００３０】
アンテナコイル２２Ｆ，２２Ｂは、実際には、何重にも巻かれているものであるが、煩雑化を防止するため、図１（Ａ）では１重巻き以外の部分は省略している。表面側のアンテナコイル２２Ｆと、裏面側のアンテナコイル２２Ｂとは、両者の一端がスルーホール２３にて接続されており、両者の他端が後述するＩＣチップ３０に接続されている。なお、２つのスルーホールを配置して、その２つのスルーホールで表面側のアンテナコイル２２Ｆと裏面側のアンテナコイル２２Ｂとを接続し、いずれか一方のアンテナコイル上にＩＣチップ３０を配置してもよい。
【００３１】
アンテナコイル２２Ｆ，２２Ｂは、全体として平行四辺形形状をなしており、その形状ゆえに２つの内角が鋭角である。また、表面側のアンテナコイル２２Ｆと裏面側のアンテナコイル２２Ｂとは、アンテナシート２０を表面側から見たときに、両者の上下方向に延びた中心線Ｃ１を基準として、左右対称の形状である。
【００３２】
アンテナコイル２２Ｆ，２２Ｂは、表裏合わせて８つの辺を有する。ここで、アンテナシート２０を表面側から見たときの方向（図１（Ａ）の状態）を基準として、表面側の上辺２２Ｆ−Ｕと裏面側の上辺２２Ｂ−Ｕ、表面側の左辺２２Ｆ−Ｌと裏面側の左辺２２Ｂ−Ｌ、表面側の下辺２２Ｆ−Ｄと裏面側の下辺２２Ｂ−Ｄ、表面側の右辺２２Ｆ−Ｒと裏面側の右辺２２Ｂ−Ｒをそれぞれ１つの組とみなす。
【００３３】
つまり、各組の関係を示すと以下のようになる。
第１組：（表面側の上辺２２Ｆ−Ｕ，裏面側の上辺２２Ｂ−Ｕ）
第２組：（表面側の左辺２２Ｆ−Ｌ，裏面側の左辺２２Ｂ−Ｌ）
第３組：（表面側の下辺２２Ｆ−Ｄ，裏面側の下辺２２Ｂ−Ｄ）
第４組：（表面側の右辺２２Ｆ−Ｒ，裏面側の右辺２２Ｂ−Ｒ）
【００３４】
本実施形態では、２つの組、すなわち、上側の組（第１組）と下側の組（第３組）の表面側の辺と裏面側の辺とが、アンテナシート２０の表面側から見て交差する位置に配置されている。具体的には、表面側の上辺２２Ｆ−Ｕと裏面側の上辺２２Ｂ−Ｕ、及び、表面側の下辺２２Ｆ−Ｄと裏面側の下辺２２Ｂ−Ｄが、アンテナシート２０の表面側から見て交差する位置に配置されている。
【００３５】
アンテナコイル２２Ｆ，２２Ｂの辺の数は、その巻き数によって変化するが、例えば、１巻きであろうが１０巻きであろうが、表面側の上辺部分にあるアンテナコイルは、すべて合わせて１つの辺と考えるものとする。また、表面側の上辺２２Ｆ−Ｕは、表面側の第１の辺であり、表面側の左辺２２Ｆ−Ｌは、表面側の第２の辺であり、表面側の下辺２２Ｆ−Ｄは、表面側の第３の辺であり、表面側の右辺２２Ｆ−Ｒは、表面側の第４の辺である。一方、裏面側の上辺２２Ｂ−Ｕは、裏面側の第１の辺であり、裏面側の左辺２２Ｂ−Ｌは、裏面側の第２の辺であり、裏面側の下辺２２Ｂ−Ｄは、裏面側の第３の辺であり、裏面側の右辺２２Ｂ−Ｒは、裏面側の第４の辺である。
【００３６】
ＩＣチップ３０は、アンテナコイル２２Ｆ，２２Ｂに接続され、ＣＰＵやＲＡＭ、ＲＯＭ、ＥＥＰＲＯＭ等の半導体メモリを搭載したチップであり、樹脂等によって封止されている。
【００３７】
またカード基材部４０は、アンテナシート２０及びＩＣチップ３０を表裏面から挟み込んでおり、ＰＥＴ等の材料で形成されている。
【００３８】
図２及び図３は、第１実施形態のアンテナシート２０を拡大して示す図である。図１のアンテナコイル２２Ｆ，２２Ｂを詳細に図示すると図２に示す形状となる。
第１実施形態のアンテナシート２０では、図２に示すように、表裏のアンテナコイル２２Ｆ，２２Ｂともに３重に巻き、アンテナコイル部分のＸ方向の長さＸ１を例えば４４．５０ｍｍ程度とし、Ｙ方向の長さＹ２を例えば２６．０６ｍｍ程度とした。また、アンテナコイル２２Ｆ，２２Ｂの線幅は、例えば１ｍｍ程度とし、アンテナコイル間の間隔は、例えば２ｍｍ程度とした。この例の場合、表裏のアンテナコイル２２Ｆ，２２Ｂの重複面積（図中、黒で塗りつぶした部分）は、例えば６６．１ｍｍ２程度であった。
【００３９】
このアンテナシート２０について、図３に示すように、裏面側のアンテナコイル２２Ｂを＋Ｘ方向，＋Ｙ方向ともに、０．７５ｍｍ程度ずらした。この場合、表裏のアンテナコイルの重複面積は、７３．１ｍｍ２程度であった。このように、ずれた前後の面積変動は、１．１倍となるだけなので、共振周波数の変化を小さく抑えることができる。
【００４０】
図４及び図５は、比較例のアンテナシート２０Ａを示す図である。
図４に示すように、比較例のアンテナシート２０Ａは、表裏面のアンテナコイル２２Ｆ−Ａ，２２Ｂ−Ａともに長方形形状のものである。アンテナコイル部分のＸ方向の長さＸ１−Ａを、例えば４３．００ｍｍ程度とし、Ｙ方向の長さＹ１−Ａを、例えば２５．００ｍｍ程度とした。アンテナコイル２２Ｆ−Ａ，２２Ｂ−Ａの線幅や、アンテナコイル２２Ｆ−Ａ，２２Ｂ−Ａ間の間隔は、図２の第１実施形態のものと同様である。この例の場合、表裏のアンテナコイル２２Ｆ−Ａ，２２Ｂ−Ａの重複面積（図中、黒塗り部分）は、例えば６．３ｍｍ２程度であった。
【００４１】
図５に示すように、この比較例のアンテナシート２０Ａについて、上述した第１実施形態の例と同様に、裏面側のアンテナコイル２２Ｂ−Ａを＋Ｘ方向，＋Ｙ方向ともに、０．７５ｍｍ程度ずらした。この場合、表裏のアンテナコイルの重複面積は、例えば７３．２ｍｍ２程度であった。このように、ずれた前後の面積変動は、１１．６倍となり、製造上表裏パターンにずれが生じると、重複した部分でコンデンサが形成され、そのコンデンサに起因して本来の共振周波数から大きくずれてしまうことが分かった。
【００４２】
ここで、本実施形態における表面側のアンテナコイル２２Ｆと裏面側のアンテナコイル２２Ｂとのずらし方について説明する。上述した例では、裏面側のアンテナコイル２２Ｂを＋Ｘ方向，＋Ｙ方向ともに、０．７５ｍｍ程度ずらしているため、ずれた前後の面積変動は、比較例のものと比べるとある程度小さい値に抑えることができている。この点、例えば０．７５ｍｍ程度のずれではなく、もっと大きなずれ（例えば１．０ｍｍ以上のずれ）が発生すると、表面のアンテナコイルが隣接する裏面のアンテナコイルに重なってしまい、比較例の面積変動とさほど変わらない結果となることも想定される。つまり、図３の例で説明すれば、表面側の左辺側には３本のアンテナコイルがあり、裏面側の左辺側にも３本のアンテナコイルがあるが、裏面側のアンテナコイル２２Ｂが＋Ｘ方向，＋Ｙ方向に１．０ｍｍ程度ずれると、表面側の左辺側の中央のアンテナコイルと、裏面側の左辺側の一番左のアンテナコイルとがぴったり重なってしまうこともあり得るということである。
【００４３】
しかし、実際の製造過程においては、表面のアンテナコイルが裏面の隣接するアンテナコイルに重なる程ずれることはありえず（そこまでの製造誤差は発生しないし、許容もしていない）、多少の製造誤差（例えば最大でも０．７５ｍｍ程度のずれ）が発生するだけである。
したがって、本実施形態では、表面と裏面とで隣接するコイルパターン同士が重なってしまうような場面を想定しているわけではなく、製造過程で生じる若干のずれのみを想定しているものである。なお、以下の実施形態でも同様である。
【００４４】
このように、本実施形態のアンテナシート２０によれば、表面側の上辺２２Ｆ−Ｕと裏面側の上辺２２Ｂ−Ｕ、及び、表面側の下辺２２Ｆ−Ｄと裏面側の下辺２２Ｂ−Ｄが、アンテナシート２０の表面側から見て交差する位置に配置されている。したがって、両面の上辺及び下辺に着目すると、両面の上辺及び下辺が表裏面でぴったり重なっているわけではなく、両面の上辺及び下辺が表裏面ですべて重なっていないわけでもなく、その一部だけが重なっていることになる。これにより、アンテナコイル２２Ｆ，２２Ｂをフィルム基材２１の表裏面に形成する際に、表面側と裏面側とで、設計時に定めた配置位置から多少ずれてアンテナコイル２２Ｆ，２２Ｂを形成しても、上辺及び下辺同士が重なっている重複面積が大きく変化することがないため、共振周波数の変動が少なく、アンテナ性能を損なうことがない。
【００４５】
また、アンテナコイル２２Ｆ，２２Ｂは、平行四辺形形状であり、その２つの内角が鋭角であるので、鋭角を挟み込んだ辺が一定の角度を持って傾斜するようになり、表裏面のアンテナコイル２２Ｆ，２２Ｂの各辺が表面側から見て互いに交差しやすい形状とすることができる。
【００４６】
さらに、表面側のアンテナコイル２２Ｆと裏面側のアンテナコイル２２Ｂとは、左右対称の形状であるため、製造時には、同じようなコイルパターンを製造すればよく、製造しやすいアンテナシート２０を提供することができる。
【００４７】
さらにまた、アンテナコイル２２Ｆ，２２Ｂは、その形状が平行四辺形形状であるため、表面側のアンテナコイル２２Ｆと裏面側のアンテナコイル２２Ｂとの間で、平行な２辺が交差するようになり、１辺が交差する場合と比較して、アンテナパターンが表裏面でずれた場合の重複面積の変化をより小さくすることができ、周波数変動をより小さいものとすることができる。
【００４８】
一方、本実施形態のＩＣカード１０によれば、上述したアンテナシート２０を備える情報記録媒体とすることで、上述したアンテナシート２０と同様な効果を得つつ、多少の製造誤差が発生したとしても品質の安定した情報記録媒体を提供することができる。また、小型のＩＣカード１０ａを設計するにあたり、小さい面積にアンテナコイル２２Ｆ，２２Ｂを集約した場合、製造上の誤差により表裏のパターンがずれやすくなることも考えられるが、本実施形態の構成によれば、周波数変動が小さいＩＣカードのアンテナ設計が可能となり、小型のＩＣカード１０ａであっても品質が安定する。
【００４９】
〔第２実施形態〕
図６は、本発明の第２実施形態に係るアンテナシート及びＩＣカードを示す図である。なお、以下の説明では、第１実施形態と共通する事項については同じ符号を付与するものとし、その重複した説明を適宜省略する。
第２実施形態に係るアンテナシート２０−２は、アンテナコイル２２Ｆ−２，２２Ｂ−２が、第１実施形態のように平行四辺形形状のものではなく、台形形状のものである。また、表面側のアンテナコイル２２Ｆ−２と裏面側のアンテナコイル２２Ｂ−２とは、左右対称の形状であり、一方をひっくり返せば（裏返せば）、互いに重なり合う形状である。台形形状のアンテナコイル２２Ｆ−２，２２Ｂ−２は、上辺の組における表面側の辺２２Ｆ−Ｕ２と裏面側の辺２２Ｂ−Ｕ２とが、アンテナシート２０−２の表面側から見て交差する位置に配置されている。
【００５０】
図７及び図８は、第２実施形態のアンテナシート２０−２を拡大して示す図である。図６のアンテナコイル２２Ｆ−２，２２Ｂ−２を詳細に図示すると図７に示す形状となる。
第２実施形態のアンテナシート２０−２では、図７に示すように、表裏のアンテナコイル２２Ｆ−２，２２Ｂ−２ともに３重半程度に巻き、アンテナコイル部分のＸ方向の長さＸ２を例えば４３．００ｍｍ程度とし、Ｙ方向の長さＹ２を例えば２５．００ｍｍ程度とした。また、アンテナコイルの線幅や、アンテナコイル間の間隔は、第１実施形態のものと同様である（以下の実施形態でも同様である）。さらに、表面側のアンテナコイル２２Ｆ−２の上辺２２Ｆ−Ｕ２と、表面側のアンテナコイル２２Ｆ−２の左右方向に延びた中心線Ｃ２とのなす角θ１を約１０度程度とし、裏面側のアンテナコイル２２Ｂ−２の上辺２２Ｂ−Ｕ２と、裏面側のアンテナコイル２２Ｂ−２の左右方向に延びた中心線Ｃ２とのなす角θ２を約１０度程度とした。この例の場合、表裏のアンテナコイル２２Ｆ−２，２２Ｂ−２の重複面積（図中、黒で塗りつぶした部分）は、例えば３４．１６ｍｍ２程度であった。
【００５１】
このアンテナシート２０−２について、図８に示すように、表面側のアンテナコイル２２Ｆ−２を＋Ｘ方向，＋Ｙ方向ともに、例えば０．７５ｍｍ程度ずらした。この場合、表裏のアンテナコイルの重複面積は、例えば５６．２５ｍｍ２程度であった。このように、ずれた前後の面積変動は、１．６倍となるだけなので、共振周波数の変化を小さく抑えることができる。
【００５２】
このように、第２実施形態のアンテナシート２０−２によれば、表面側に台形形状のアンテナコイル２２Ｆ−２を配置し、裏面側に同じく台形形状であって表面側のアンテナコイルをひっくり返した形状のアンテナコイル２２Ｂ−２を配置しているので、台形の斜辺部分（２２Ｆ−Ｕ２，２２Ｂ−Ｕ）に関しては、上述した第１実施形態と同様な効果を得ることができる。
【００５３】
〔第３実施形態〕
図９は、本発明の第３実施形態に係るアンテナシート及びＩＣカードを示す図である。
第３実施形態に係るアンテナシート２０−３は、アンテナコイル２２Ｆ−３，２２Ｂ−３が、第１実施形態のように平行四辺形形状のものであるが、アンテナコイル２２Ｆ−３，２２Ｂ−３の角部分（コーナー部分）を、ゆるやかな円弧状の形状としているものである。アンテナコイルの角部分において、どの箇所を円弧状にするかは、適宜変更することができる。この点、少なくとも１つの角部分を円弧状にすればよく、すべての角部分を円弧状としてもよい。第３実施形態では、第１実施形態のものと同様に、表面側の上辺２２Ｆ−Ｕ３と裏面側の上辺２２Ｂ−Ｕ３、及び、表面側の下辺２２Ｆ−Ｄ３と裏面側の下辺２２Ｂ−Ｄ３が、アンテナシート２０−３の表面側から見て交差する位置に配置されている。アンテナコイルの角部分を丸める理由は、磁束の集中を避けてできる限り均一な磁束分布を実現するためである。
【００５４】
図１０及び図１１は、第３実施形態のアンテナシート２０−３を拡大して示す図である。図９のアンテナコイル２２Ｆ−３，２２Ｂ−３を詳細に図示すると図１０に示す形状となる。
第３実施形態のアンテナシート２０−３では、図１０に示すように、表裏のアンテナコイル２２Ｆ−３，２２Ｂ−３ともに３重半程度に巻き、アンテナコイル部分のＸ方向の長さＸ３を例えば４３．００ｍｍ程度とし、Ｙ方向の長さＹ３を例えば２５．００ｍｍ程度とした。また、各なす角θ１，θ２は、第２実施形態と同様に約１０度程度とした。この例の場合、表裏のアンテナコイル２２Ｆ−３，２２Ｂ−３の重複面積（図中、黒で塗りつぶした部分）は、例えば６８．３３ｍｍ２程度であった。
【００５５】
このアンテナシート２０−３について、図１１に示すように、裏面側のアンテナコイル２２Ｂ−３を−Ｘ方向，−Ｙ方向ともに、例えば０．７５ｍｍ程度ずらした。この場合、表裏のアンテナコイルの重複面積は、例えば７８．９８ｍｍ２程度であった。このように、ずれた前後の面積変動は、１．２倍となるだけなので、共振周波数の変化を小さく抑えることができる。
【００５６】
〔第４実施形態〕
図１２は、本発明の第４実施形態に係るアンテナシート及びＩＣカードを示す図である。
第４実施形態に係るアンテナシート２０−４は、アンテナコイル２２Ｆ−４，２２Ｂ−４が、第１実施形態のように平行四辺形形状のものではなく、長方形形状のものである。
表面側のアンテナコイル２２Ｆ−４と裏面側のアンテナコイル２２Ｂ−４とは、少なくとも一部が厚み方向で重なる位置に配置されており、裏面側のアンテナコイル２２Ｂ−４は、表面側のアンテナコイル２２Ｆ−４の左右方向に延びた中心線Ｃ２及び中心点Ｃ３を基準として、約２０度（図中θ３）反時計回りに回転させた位置に配置されている。
【００５７】
図１３及び図１４は、第４実施形態のアンテナシート２０−４を拡大して示す図である。図１２のアンテナコイル２２Ｆ−４，２２Ｂ−４を詳細に図示すると図１３に示す形状となる。
第４実施形態のアンテナシート２０−４では、図１３に示すように、表裏のアンテナコイル２２Ｆ−４，２２Ｂ−４ともに３重半程度に巻き、アンテナコイル部分のＸ方向の長さＸ４を例えば４３．００ｍｍ程度とし、Ｙ方向の長さＹ４を例えば２５．００ｍｍ程度とした。また、各なす角θ１，θ２は、第２実施形態と同様に約１０度程度とした。さらに、上述したように、なす角θ３は、約２０度程度とした。なお、なす角θ３は、なす角θ１となす角θ２との合計の角度となる。この例の場合、表裏のアンテナコイル２２Ｆ−４，２２Ｂ−４の重複面積（図中、黒で塗りつぶした部分）は、例えば７８．８４ｍｍ２程度であった。
【００５８】
このアンテナシート２０−４について、図１４に示すように、表面側のアンテナコイル２２Ｆ−４を＋Ｘ方向，＋Ｙ方向ともに、例えば０．７５ｍｍ程度ずらした。この場合、表裏のアンテナコイルの重複面積は、例えば７６．６４ｍｍ２程度であった。このように、ずれた前後の面積変動は、０．９７倍となるだけなので、共振周波数の変化を小さく抑えることができる。
【００５９】
このように、第４実施形態によれば、表面側のアンテナコイル２２Ｆ−４と裏面側のアンテナコイル２２Ｂ−４とが少なくとも一部で重なる位置に配置されており、裏面側のアンテナコイル２２Ｂ−４が表面側のアンテナコイル２２Ｆ−４の中心線Ｃ２及び中心点Ｃ３を基準として、約２０度反時計回りに回転させた位置に配置されているので、表面側のアンテナコイル２２Ｆ−４のすべての辺と、裏面側のアンテナコイル２２Ｂ−４のすべての辺とが、表面側から見て交差する位置に配置されるようになる。従って、表面側と裏面側とで、設計時に定めた配置位置から多少ずれてアンテナコイルを形成しても、重複面積が大きく変化することがないため、共振周波数の変動が少なくなり、アンテナ性能を損なうことがない。
【００６０】
〔変形形態〕
図１５は、本発明の変形形態に係るアンテナシートを示す図である。なお、図１５では、アンテナシートのアンテナコイル２２についてのみ図示してある。
図１５（Ａ）に示すように、長方形形状のアンテナコイル２２Ｆ−５と、平行四辺形形状のアンテナコイル２２Ｂ−５とを併用してもよい。この形態は、第１，３実施形態のものと同様に、上辺の組と下辺の組の表面側の辺と裏面側の辺とが、表面側から見て交差する位置に配置されている形態である。
【００６１】
一方、第４実施形態と同様なタイプとして、図１５（Ｂ）に示すような、２つの長方形形状のアンテナコイル２２を用いたものが挙げられる。この形態は、裏面側のアンテナコイル２２Ｂ−６が、表面側のアンテナコイル２２Ｆ−６の中心線Ｃ４及び中心点Ｃ５を基準として、約９０度回転させた位置に配置されている形態である。
これらの形態であっても、上述した各実施形態と同様な効果を得ることができる。
【００６２】
本発明は、上述した一実施形態に制約されることなく、各種の変形や置換を伴って実施することができる。本発明の情報記録媒体は、ＩＣカードの例で説明したが、ＩＣタグ等であってもよい。また、一実施形態で挙げたアンテナシート及びＩＣカードの構成はいずれも好ましい例示であり、これらを適宜変形して実施可能であることはいうまでもない。
【符号の説明】
【００６３】
１０  ＩＣカード
２０  アンテナシート
２１  フィルム基材
２２Ｆ，２２Ｂ  アンテナコイル
３０  ＩＣチップ
４０  カード基材
【図１】
2011254307.tif 000003
【図２】
2011254307.tif 000004
【図３】
2011254307.tif 000005
【図４】
2011254307.tif 000006
【図５】
2011254307.tif 000007
【図６】
2011254307.tif 000008
【図７】
2011254307.tif 000009
【図８】
2011254307.tif 000010
【図９】
2011254307.tif 000011
【図１０】
2011254307.tif 000012
【図１１】
2011254307.tif 000013
【図１２】
2011254307.tif 000014
【図１３】
2011254307.tif 000015
【図１４】
2011254307.tif 000016
【図１５】
2011254307.tif 000017